(57)【要約】【課題】照明装置の薄型化を図るとともに光利用率及び十分な輝度が得られ、輝度分布の均一な照明装置およびこれを用いた液晶表示装置を低コストで提供する。【解決手段】並列配置された複数の線状光源７からなる直下型照明装置１において、  各線状光源７を透明樹脂からなる輝度調整部８により長手方向全幅で覆い、輝度調整部の線状光源７と対向する面を線状光源７と同形の断面略半円状の第１凹部で構成し、拡散板５と対向する面を断面逆三角形状の第２凹部で構成した。【選択図】図１
2007287479.tif 000002
【特許請求の範囲】
【請求項１】
並列配置された複数の線状光源と、前記線状光源の背面に設けられた反射板と、前記線状光源の前面に設けられた拡散板を含む直下型照明装置において、
前記各線状光源が透明樹脂からなる輝度調整部により長手方向全幅が覆われており、
前記輝度調整部は前記線状光源に対向し前記線状光源から出射された光が直接入射する光入射面と、
前記拡散板に対向し前記光入射面から入射した光が出射する光出射面からなり、
前記光入射面は前記線状光源の直上部分に前記線状光源と同形の断面略半円状に凹んだ第１凹部を有し、
前記光出射面は前記線状光源の直上部分に断面逆三角形状に凹んだ第２凹部を有することを特徴とする直下型照明装置。
【請求項２】
前記第２凹部の頂部は前記線状光源の中心点から前記拡散板へ下ろした垂線上にあり、前記垂線上から入射する光と前記第２凹部がなす角度は全反射条件をみたす角度であることを特徴とする請求項１に記載の直下型照明装置。
【請求項３】
前記第２凹部の幅が前記線状光源の直径より大きく前記第１凹部の幅より小さいことを特徴とする請求項１又は請求項２に記載の直下型照明装置。
【請求項４】
前記光入射面の下端部が前記線状光源の下面より下位に位置することを特徴とする請求項１及至請求項３のいずれか１項に記載の直下型照明装置。
【請求項５】
前記光出射面が前記第２凹部により反射された光を下方向に反射させる下方反射面を有し、
前記光入射面が前記下方反射面により下向きに反射された光を上方向に反射させる上方反射面を有することを特徴とする請求項１及至請求項４のいずれか１項に記載の直下型照明装置。
【請求項６】
前記下方反射面が前記第２凹部に対して略直角に対面する面であり、前記上方反射面が前記下方反射面に対して略平行な面であることを特徴とする請求項５に記載の直下型照明装置。
【請求項７】
前記光出射面の幅は隣接する前記線状光源間の中間点の幅より小さく、
前記光出射面の端部と前記光入射面の端部との間に円弧状に凹んだ曲面を形成していることを特徴とする請求項１及至請求項４のいずれか１項に記載の直下型照明装置。
【請求項８】
請求項１及至請求項７のいずれか１項に記載の直下型照明装置を備えた液晶表示装置。
【発明の詳細な説明】
【技術分野】
【０００１】
本発明は、照明装置及び液晶表示装置に関するものである。
【背景技術】
【０００２】
近年、ブラウン管（ＣＲＴ）に代わり急速に普及している液晶表示装置は、省エネ型、薄型、軽量型等の特長を活かし液晶テレビ、モニター、携帯電話等に幅広く利用されている。また、これら液晶表示装置の背後には照明装置が配置されており、照明装置は、主にエッジライト型と直下型とに大別される。
【０００３】
エッジライト型は液晶パネルの背後に導光板、横端部に光源が設けられる。光源から出射した光は導光板で反射して間接的に液晶パネルを均一照射する。この構造により、輝度は低いが薄型化、輝度均一性に優れ携帯電話やノートパソコン等、中小型液晶ディスプレイに主に採用されている。
【０００４】
また、直下型は液晶パネルの背後に線状光源を複数並列配置し、液晶パネルを直接照射する。したがって、大画面でも高輝度が得やすく２０インチ以上の大型液晶ディスプレイで主に採用されている。
【０００５】
ここで、照明装置は高効率化及びコストダウンが求められており、その結果、線状光源の本数削減が求められてきているのが現状である。
【０００６】
しかし、直下型照明装置において、線状光源からの直射光により光源直近の輝度が特に高いため、液晶パネル上に線状光源の像（以下ランプイメージと称す）が表出し、それが輝度ムラとなり液晶パネル全体の輝度均一性を低下させる問題がある。この問題は、線状光源の本数を減らすことで、隣接する蛍光管の距離が増大し、光源直近の輝度と光源中間部との明暗の差が大きくなるためいっそう顕著にあらわれる。
【０００７】
また、蛍光管の本数が同数であったとしても、蛍光管一本当たりの発光量を大きくすることで明暗の差は顕著に現われる。
【０００８】
したがって、ランプイメージの増大を避けつつ、蛍光管の本数削減及び発光量増加を達成するには限界があるのが実状である。
【０００９】
従来これらの問題を解決するため、各線状光源の上部に光拡散性を有するポリカーボネート樹脂等からなる輝度調整手段を設け、光源の直上の拡散板へ入射する光量を調節し輝度ムラをなくす試み（特許文献１）や、並列配置された複数の線状光源全体を覆う導光板を光源と拡散板の間一面に設け、光源からの光路を調節し、輝度均一性を確保する試み（特許文献２，３参照）が提案されていた。
【特許文献１】特開２０００−３３８８９５公報
【特許文献２】特開２００４−２２３４４  公報
【特許文献３】特開２００４−３０２０６７公報
【発明の開示】
【発明が解決しようとする課題】
【００１０】
しかし、特許文献１の記載において輝度調整手段は、単純な形状であり、光源を覆うように設けられているのではなく、光路の一部に設けられているに過ぎない。このため、蛍光管から出射されて上方に向う光の一部及び反射してきて蛍光管の上部を通る光の一部の光路を変えることができるのみである。したがって、輝度ムラを調整可能な範囲は非常に限定的であり、直下型照明装置全体の輝度均一性を十分に確保するまでに至っていなかった。
【００１１】
また、特許文献２，３の記載においては、導光板を複数の光源全体を覆うよう一面に設けることで、光源から発せられた光のうち上方へ向う光の光路を変更し輝度むらを低減することができる。しかし、それ以外の光については、導光板の中で光路が変えられ拡散板へ出射するため、導光板全体では、輝度ムラを完全に解消するところまでには至っていなかった。また、導光板を通る光が導光板を構成する樹脂により一部吸収され、全体の発光効率が低下するという問題も懸念されていた。
【００１２】
そこで上記課題に鑑み、本発明は高輝度で輝度均一性の優れた照明装置およびこれを用いた液晶表示装置を低コストで提供することを目的とする。
【課題を解決するための手段】
【００１３】
上記目的を達成するために本発明の構成は、並列配置された複数の線状光源と、前記線状光源の背面に設けられた反射板と、前記線状光源の前面に設けられた拡散板を含む直下型照明装置において、前記各線状光源が透明樹脂からなる輝度調整部により長手方向全幅が覆われており、前記輝度調整部は前記線状光源に対向し前記線状光源から出射された光が直接入射する光入射面と、前記拡散板に対向し前記光入射面から入射した光が出射する光出射面からなり、前記光入射面は前記線状光源の直上部分に前記線状光源と同形の断面略半円状に凹んだ第１凹部を有し、前記光出射面は前記線状光源の直上部分に断面逆三角形状に凹んだ第２凹部を有することを特徴とする直下型照明装置である。
【００１４】
また本発明は、上記構成の直下型照明装置において、前記第２凹部の頂部は前記線状光源の中心点から前記拡散板へ下ろした垂線上にあり、前記垂線上から入射する光と前記第２凹部がなす角度は全反射条件をみたす角度であることを特徴とする。
【００１５】
また本発明は、上記構成の直下型照明装置において、前記第２凹部の幅が前記線状光源の直径より大きく前記第１凹部の幅より小さいことを特徴とする。
【００１６】
また本発明は、上記構成の直下型照明装置において、前記光入射面の下端部が前記線状光源の下面より下位に位置することを特徴とする。
【００１７】
また本発明は、上記構成の直下型照明装置において、前記光出射面が前記第２凹部により反射された光を下方向に反射させる下方反射面を有し、前記光入射面が前記下方反射面により下向きに反射された光を上方向に反射させる上方反射面を有することを特徴とする。
【００１８】
また本発明は、上記構成の直下型照明装置において、前記下方反射面が前記第２凹部に対して略直角に対面する面であり、前記上方反射面が前記下方反射面に対して略平行な面であることを特徴とする。
【００１９】
また本発明は、上記構成の直下型照明装置において、前記光出射面の幅は隣接する前記線状光源間の中間点の幅より小さく、前記光出射面の端部と前記光入射面の端部との間に円弧状に凹んだ曲面を形成していることを特徴とする。
【発明の効果】
【００２０】
本発明の第１の構成によると、輝度調整部の光入射面において、線状光源と対向する部分が線状光源と同形の断面略半円状に凹んでいるため、前記線状光源を覆うように輝度調整部を設けることができる。また、線状光源から上方へ放射された光は断面略半円状の光入射面から光路をほとんど変更されることなく輝度調整部内に入射する。
【００２１】
このとき、輝度調整部内に入射し、断面逆三角形状に凹んだ第２凹部から輝度調整部外に出射しようとする光のうち、全反射条件を満たす入射角で第２凹部に入射する光は拡散板側へ出射することなく横方向へ全反射される。これにより、線状光源の直上の拡散板に入射される光の一部が横方向へ分散され、ランプイメージの表出を抑えることができる。また、横方向へ反射した光を輝度調整部内で再度反射させ、隣接する線状光源の中間点付近に照射した場合、輝度を確保しながら輝度均一性を向上させることができる。
【００２２】
また、輝度調整部はバックライト一面を覆うものではなく、各線状光源に応じて個別に設けられるため、各線状光源からの光を調整することでバックライト全体の光利用効率を向上させることができる。
【００２３】
また本発明の第２の構成によると、第２凹部の頂部が線状光源の中心点から拡散板に下ろした垂線上に位置することにより線状光源から出射した光を左右対称に分散することができ、輝度均一性を調整し易くなる。
【００２４】
また、前記垂線と第２凹部のなす角度が全反射条件を満たす場合、線状光源から上方に出射された光の大部分を横方向へ反射させることができる。これにより、線状光源直上部分の輝度をいっそう抑えることが可能となり、輝度均一性を向上させることができる。
【００２５】
また本発明の第３の構成によると、第２凹部の幅を線状光源の直径より大きくし光入射面の第１凹部の幅より小さくすることで、上方に出射された光のうち横方向に反射する光量を制限し、線状光源直上付近の輝度を適切に調整することが可能となる。
【００２６】
また本発明の第４の構成によると、光入射面の下端部が線状光源の下面より下位に位置することで、線状光源から出射された光は全て輝度調整部内で光路が変更されバックライト全体に分散照射される。これにより高い輝度均一性を確保することが可能となる。
【００２７】
また、本発明の第５の構成によると、輝度調整部において、第２凹部により横方向へ反射された光を下方に反射する下方反射面を光出射面に設け、前記下方反射面により下方向に反射した光を上方向に反射する上方反射面を光入射面に設けることにより、第２凹部で横方向に反射した光は下方反射面及び上方反射面を反射し上方向へ光路を変更する。また、光出射面及び光入射面における下方反射面と上方反射面の角度を調整することで、拡散板上の輝度が低い箇所へ光を照射することが可能となる。
【００２８】
また本発明の第６の構成よると、下方反射面が第２凹部に対して略直角な面であり、上方反射面が前記下方反射面に対して略平行な面であることにより、第２凹部で横方向に反射した光は適度に下方反射面及び上方反射面を反射し上方向へ光路を変更する。これにより、バックライト全体の輝度及び輝度均一性をバランスよく確保することができる。
【００２９】
また本発明の第６の構成よると、光出射面の幅が隣接する線状光源間の中間点の幅より小さいため、隣接する輝度調整部に制約されることなく各線状光源ごとに輝度調整部を設けることができる。また、光入射面の端部と光出射面の端部との間に円弧状に凹んだ曲面を形成することで、第２凹部から横方向に反射した光はそのまま円弧状に凹んだ曲面から輝度調整部外へ出射する。この光は、隣接する輝度調整部まで進み円弧状に凹んだ曲面に入射し上方向へ屈折して出射する。
【００３０】
これにより、線状光源から出射された光を拡散板方向へ分散して放射することができ、バックライト全体の輝度均一性が確保される。
【００３１】
また本発明の第７の構成よると、上記照明装置を液晶表示装置に用いることにより高輝度、輝度均一性に優れる液晶表示装置を低コストで提供することが可能となる。
【発明を実施するための最良の形態】
【００３２】
以下、本発明の実施形態を図面を参照して説明する。図１（ａ）は本発明の実施形態である液晶表示装置１を示す概略正面図である。また、図１（ｂ）、（ｃ）はそれぞれ図１（ａ）に示される液晶表示装置１の断面を矢印ｘ方向、矢印ｙ方向から示す概略側面図である。液晶パネル３の背後には複数の線状光源７が並列に配置されており、線状光源７の後方に反射板２、前方に拡散板５及び各種光学シート４が設けられている。なお、図１（ａ）では液晶パネル３、拡散板５、光学シート４の図示を省略している。
【００３３】
また、線状光源７は、線状光源７の長手方向に沿って輝度調整部８により覆われており、線状光源７、拡散板５、光学シート４で液晶パネル３を照射するバックライトユニット（直下型照明装置）を構成している。従って、線状光源７から出射された光は輝度調整部８を透過し、その過程で光路が変更され、拡散板５に入射し、光学シート４を通り液晶パネル３に到達する。
【００３４】
ここで、輝度調整部材８は、バックライトユニットの周囲にあるランプホルダ６により線状光源７とともに両端が固定されている。
【００３５】
図２（ａ）、（ｂ）は、本発明に係る輝度調整部８の断面形状を線状光源７とともに拡大して示したものである。輝度調整部８において、線状光源７と対向し線状光源７から出射された光が直接入射する面を光入射面９とし、拡散板５と対向し該光入射面から入射した光が出射する面を光出射面１０とする。
【００３６】
また、輝度調整部８は左右対称の形状で構成されている。これにより線状光源から出射した光は輝度調整部８内で光路が変更され左右対称に拡散板５方向へ出射されるため、輝度均一性を調整し易い。なお、図簡略化のため、光の進行方向を示す点線の矢印は一定方向にのみ進行する光のみを表している。
【００３７】
光入射面９における線状光源７の直上部分は、線状光源７と同形の断面略半円状の第１凹部９ａで形成されている。これにより輝度調整部８を線状光源７と近接して設けることが可能であるとともに、線状光源７から上方へ出射された光は第１凹部９ａで光路を変更されることなく輝度調整部８内に入射する。
【００３８】
また、光出射面１０における線状光源７の直上部分は、断面逆三角形状の凹み第２凹部１０ａを形成している。また、線状光源７の中心から拡散板５に下ろした垂線上にこの第２凹部１０ａが形成する頂部が位置する。これにより、線状光源７上方に出射され、第１凹部９ａから輝度調整部８内に入射した光は所定の角度をもって第２凹部１０ａに入射する。
【００３９】
このとき、第２凹部１０ａに入射する光の入射角が輝度調整部材８と空気の境界面における臨界角より小さい場合、光は拡散板５側へ出射する。しかし、光の入射角が臨界角より大きい場合、光は拡散板５側へ透過せず、全反射される。
【００４０】
ここで、第２凹部１０ａに入射する光の入射角を決定するのは第２凹部１０ａが形成する頂角の大きさαであり、臨界角を決定するのは輝度調整部８を構成する基材の屈折率である。したがって、線状光源７直上付近の輝度を調整する場合、輝度調整部８を構成する基材の屈折率を考慮しながら頂角の大きさαを決定する必要がある。なお、アクリル材の臨界角は４２．１５°、ポリカーボネート材の臨界角は３８．９°程度である。
【００４１】
また、線状光源７から上方に出射され第２凹部１０ａに入射する光のうち入射角が最も小さい光は、線状光源７の中心点から拡散板５に下ろした垂線上に進む光である。したがって、この光の第２凹部１０ａへの入射角が臨界角より大きければ、線状光源７から上方に出射し第２凹部１０ａに入射する全ての光は全反射条件を満たし全反射するため、線状光源直上付近の輝度を抑えることができる。
【００４２】
なお、全反射はエネルギーロスが全くない反射であるため、第２凹部１０ａにより全反射した光を輝度の低い箇所にまわすことで輝度均一性および光利用効率を向上させることが可能となる。
【００４３】
また、図２（ｂ）に示すように第２凹部１０ａの開口幅Ａは線状光源７の直径φより大きく、第１凹部９ａの開口幅Ｃより小さいことが望ましい。第２凹部１０ａの開口幅Ａが線状光源７の直径φより小さい場合、線状光源７から上方に出射された光のうち第２凹部１０ａで反射される光の領域が小さくなる。
【００４４】
このため、線状光源７上方において、第２凹部１０ａで反射されずそのまま透過した光が照射する箇所は輝度が高くなり、第２凹部１０ａ上方の箇所は光が透過しないため輝度が低くなる。これにより、線状光源７上方に新たな輝度ムラが生じ輝度均一性が低下する。
【００４５】
また、第２凹部１０ａの開口幅Ａが第１凹部９ａの開口幅Ｃより大きい場合、線状光源７から上方に出射された光のうち第２凹部１０ａで反射される光の領域が大きくなる。
【００４６】
このため、特に輝度が高い線状光源７直上付近の輝度を抑えるにとどまらず、輝度がそれほど高くない領域に照射されるべき光まで第２凹部１０ａにより反射されてしまう。これにより、バックライト全体の輝度均一性が低下する。
【００４７】
また、光入射面９の下端部は線状光源７の下面より下位に位置することが望ましい。光入射面９の下端が線状光源７の下面より上位に位置する場合、線状光源７から横方向及び下方に出射した光の多くは輝度調整部８に入射しない。そのため、これらの光を効果的に拡散板５方向へ向けることができず、輝度調整および輝度均一性の確保を十分におこなうことができない。
【００４８】
次に第２凹部１０ａで反射された光について説明する。上述した通り第２凹部１０ａで全反射された光は反射によるエネルギーロスが全くないためこの光の光路を上方に変更することができれば、光利用効率を向上させながら輝度均一性を確保することができる。
【００４９】
図２（ａ）に示すように、光出射面１０において、第２凹部１０ａに対して角度βで対面する下方反射面１０ｂを形成した場合、第２凹部１０ａで横方向に反射した光を下方反射面１０ｂで下向きに反射させることができる。
【００５０】
このとき角度βを調整することにより、頂部の角度がαである第２凹部１０ａに対して効率よく下方に反射可能な下方反射面１０ｂを設計することができる。
【００５１】
また、光入射面９において、第１凹部９ａに対して角度γをなす上方反射面９ｂを形成した場合、下方反射面１０ｂから下向きに反射した光を上方に反射させることができる。このとき角度γを調整することにより上方に効率よく反射可能な上方反射面９ｂを設計することができる。また、上方反射面９ｂにより反射される光を隣接する線状光源の中間点付近に照射する角度γに調整することで輝度均一性をいっそう向上させることができる。
【００５２】
また、これら角度β、γと輝度均一性の関係について検討した結果、逆三角形の面１０ａと下方反射面１０ｂのなす角度βが約９０°で、且つ下方反射面１０ｂと上方反射面９ｂを平行に設計したときバックライト全体の輝度均一性及び光利用効率が優れることがわかっている。
【００５３】
図３（ａ）、（ｂ）は、本発明の直下型照明装置に用いられる輝度調整部８の他の形態を示す断面図である。図２と同様に、輝度調整部８は線状光源７と対向し線状光源７から出射した光が直接入射する光入射面９と、拡散板と対向し光入射面９から入射した光が拡散板５側へ出射する光出射面１０とからなる。また、光入射面９の線状光源７直上部分は第１凹部９ａを有し、光出射面１０の線状光源７直上部分は第２凹部１０ａを有す。
【００５４】
また、光入射面９は第１凹部９ａの幅と同じ幅で線状光源７を挟み、その下端が線状光源７より下位に位置するよう成形されている。この形状により、線状光源７から横方向又は下方向に出射した光も輝度調整部８に入射することになる。そして、この光は輝度調整部８内で光路が変更され、バックライト全体の輝度均一性向上に寄与する。
【００５５】
また、光出射面１０の幅は隣接する線状光源７の中間点の幅より小さいことが望ましい。これは、隣接する線状光源７に設けられた輝度調整部８が互いに制約を受けることなく設けることができるからである。
【００５６】
図２に示された輝度調整部８と異なるのは、光入射面１０の端部と光入射面９の端部が円弧状に凹む曲面１１を形成していることである。上記図２の説明で述べたとおり、線状光源７から上方に出射された光は第２凹部１０ａにより横方向に全反射される。ここで、曲面１１はこの横方向に進む光の一部を上方へ反射し、その他の光を輝度調整部８の外に透過させる。この透過した光はそのまま横方向へ進み、その後、隣接する輝度調整部８の曲面１１に入射する。
【００５７】
このとき、曲面１１に入射した光は曲面１１が凹レンズのような役割を果たし上方へ発散するよう光路を広げ拡散板方向へ進行する。これにより、輝度の確保とともに輝度均一性を向上させることができる。また、第２凹部１０ａにおいて横方向に反射した光以外にも線状光源７から横方向に出射した光も同様の光路とる。
【００５８】
ここで、曲面１１はＲ状に凹む形状であるが、もしこれが平面である場合、横方向に進行してきた光はこの平面で一律に屈折するため、バックライト全体に光が拡散照射されるのではなく線状光源７上方の一領域にのみ照射される。したがって、バックライト全体の輝度均一性はそれほど向上しない。（図３（ｃ）参照）
【００５９】
また、曲面１１がＲ状に凹む形状ではなく凸状に膨らむ形状である場合、横方向からの光はこの面が凸レンズの役割を果たし線状光源７上方の一点に集光してしまう。したがって、これらＲ状に凹んでいない面を形成した場合、バックライト全体の輝度均一性を確保することはできない。（図３（ｄ）参照）
【００６０】
また、輝度調整部８の材質は線状光源７から出射された光が光入射面９から入射し光出射面１０から出射する光に対して透明又は半透明であればよく、具体的にはポリカーボネート樹脂等が挙げられる。また、輝度調整部８は線状光源７と近接する位置に対向して設けられるため、所定の耐熱性を有する必要がある。
【００６１】
また、上記照明装置を液晶表示装置１に用いることにより従来の照明装置と比較して輝度均一性が高いため、均一性向上のために用いる光学シートの使用を抑えることができ、低コストで均一性の高い液晶表示装置１を容易に提供することが可能となる。
【００６２】
なお、本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。
【実施例】
【００６３】
以下、本発明を実施例により更に詳細に説明するが、本発明はその主旨に反しない限り実施例に限定されるものではない。
【００６４】
図４（ａ）、図４（ｂ）、図４（ｃ）はそれぞれ、本発明に係る輝度調整部を示すものである。これら輝度調整部材にはアクリル樹脂を使用し、半円状の光入射面９ａ及び逆三角形状の光出射面１０ａはいずれの輝度調整部においても同じ寸法であり、逆三角形状の開口面幅Ａ＝４ｍｍ、半円状の開口面幅Ｃ＝５ｍｍ、逆三角形上の頂角α＝４２．１５とした。また、線状光源には直径φ＝３ｍｍの冷陰極管を使用し、ピッチｐ＝２８ｍｍ、拡散板の距離ｌ＝１６ｍｍになるように配設した。
【００６５】
［実施例１］
図４（ａ）は本発明に係る輝度調整部であり、輝度調整部の幅ｗ＝１０ｍｍ、輝度調整部高さｈ＝１０ｍｍ、逆三角形の面１０ａと下方反射面１０ｂを角度β＝９０°で対面するよう成形した。この輝度調整部を４本の冷陰極管に設け直下型照明装置全体の輝度を測定し輝度均一性について評価を行なった。
【００６６】
［実施例２］
図４（ｂ）は本発明に係る輝度調整部であり、輝度調整部の幅ｗ＝２０ｍｍ、輝度調整部の高さｈ＝１０ｍｍとし、円弧状に凹んだ曲面は凹レンズ作用により光を拡散する形状に成形した。この輝度調整部を４本の冷陰極管に設け直下型照明装置全体の輝度を測定し輝度均一性について評価を行なった。
【００６７】
［実施例３］
図４（ｃ）は本発明に係る輝度調整部であり、輝度調整部の幅ｗ＝１５ｍｍ、輝度調整部の高さｈ＝１５ｍｍとし、半円状以外の光入射面は平面状ではなく凹凸状の面で形成した。この輝度調整部を線状光源に設けた場合、線状光源から上方に出射された光は第２凹部で横方向に全反射した後、第２凹部と角度β＝９０°で対面する下方反射面により下向きに反射する。この下向きの光は凹凸状の面に入射し上方へ拡散反射すると考えられる。また、光入射面の下端は線状光源の下面よりｓ＝１．５ｍｍ上方に位置させた。この輝度調整部を４本の冷陰極管に設け直下型照明装置全体の輝度を測定し輝度均一性について評価を行なった。
【００６８】
［比較例１］
輝度調整部を設けず、４本の冷陰極管からなる直下型照明装置全体の輝度を測定し輝度均一性について評価を行なった。
【００６９】
上記、直下型照明装置を用いて測定した輝度分布を図５〜図８に示す。図８の輝度分布は輝度調整部を設けない状態で測定した輝度分布表であり、図５、図６、図７はそれぞれ、実施例１、実施例２、実施例３で評価した直下型照明装置の輝度分布表である。縦軸は輝度、横軸は照明装置における幅方向の位置を示している。なお、これら測定された輝度は拡散板上で測定された光であり、光学シート等により均一化された光ではない。
【００７０】
以上図８から明らかなように、輝度調整部を設けていない直下型照明装置においては線状光源直上と隣接する線状光源の中間点付近の輝度差が大きいため、ランプイメージが表出し、それが輝度ムラとなって直下型照明装置全体の輝度均一性を低下させていることがわかる。
【００７１】
また、図５及び図６から明らかなように、本発明に係る輝度調整部を線状光源に設けることにより、直下型照明装置全体の輝度を所定値以上確保した上で輝度ムラを抑え全体の輝度均一性を向上させることがわかった。
【００７２】
また、図７と図８から明らかなように、線状光源に輝度調整部を設けることにより線状光源直上付近の輝度を抑えランプイメージの表出を防ぐことできることがわかった。従って、図４（ｃ）で示される輝度調整部の逆三角形状の面の頂角を調整することにより更に輝度均一性を向上させることが可能であると考えられる。
【００７３】
また、図５、図６と図７を比較することで明らかなように、光入射面の端部を線状光源より下位に位置させることで輝度均一性がいっそう安定することがわかった。図４（ｃ）で示される輝度調整部は光入射面が線状光源全体を覆う形状ではない。このため、線状光源から横方向及び下方向へ出射した光はほとんど輝度調整部内に入射しない。したがって、線状光源から横方向及び下方向へ出射した光の多くは上方へ光路を変更せず、十分な輝度調整がなされないと考えられる。
【産業上の利用可能性】
【００７４】
本発明は、掲示板等に使用する照明装置、家庭用及び業務用の照明装置、又は照明装置備える液晶表示装置に利用することができる。
【図面の簡単な説明】
【００７５】
【図１】本発明の実施形態の液晶表示装置を示す概略正面図及び概略側面図である。
【図２】本発明に係る輝度調整部の形状を示す横断面図である。
【図３】本発明に係る輝度調整部の形状を示す横断面図である。
【図４】本発明に係る輝度調整部の形状を示す横断面図である。
【図５】実施例１における直下型照明装置が示す輝度分布表である。
【図６】実施例２における直下型照明装置が示す輝度分布表である。
【図７】実施例３における直下型照明装置が示す輝度分布表である。
【図８】比較例１における直下型照明装置が示す輝度分布表である。
【符号の説明】
【００７６】
１    液晶表示装置
２    反射板
３    液晶パネル
４    光学シート
５    拡散板
６    ランプホルダ
７    線状光源
８    輝度調整部
９    光入射面
９ａ  第１凹部
９ｂ  上方反射面
１０    光出射面
１０ａ  第２凹部
１０ｂ  下方反射面
１１    曲面
【図１】
2007287479.tif 000003
【図２】
2007287479.tif 000004
【図３】
2007287479.tif 000005
【図４】
2007287479.tif 000006
【図５】
2007287479.tif 000007
【図６】
2007287479.tif 000008
【図７】
2007287479.tif 000009
【図８】
2007287479.tif 000010